(57)【要約】【課題】エッジ型バックライトを有する液晶表示装置において、動きの速い映像を表示する際に、動画解像度が十分でないため、画像に動きボケが生じていた。【解決手段】エッジ型バックライトを有する液晶表示装置において、液晶表示パネル３の長手方向の上下部に配置した発光ダイオード群１に加えて、液晶表示パネル３の短手方向の略中心部にも発光ダイオード群１を配置することで、クロストークによる動画解像度の劣化を抑制する。【選択図】図１
2011222375.tif 000002
【特許請求の範囲】
【請求項１】
液晶表示パネルと、
前記液晶表示パネルの背面に配置される導光板と、
前記導光板の長手方向の上部辺縁に隣接して配置される第１の発光ダイオード群と、
前記導光板の長手方向の下部辺縁に隣接して配置される第２の発光ダイオード群と、
前記導光板の短手方向の辺の略中心部にのみ隣接して配置される第３の発光ダイオード群とからなる液晶表示装置。
【請求項２】
液晶表示パネルと、
前記液晶表示パネルの背面に配置される導光板と、
前記導光板の長手方向の上部辺縁に隣接して配置され、前記液晶表示パネルの画面の略上部を照明する第１の発光ダイオード群と、
前記導光板の長手方向の下部辺縁に隣接して配置され、前記液晶表示パネルの画面の略下部を照明する第２の発光ダイオード群と、
前記導光板の短手方向の辺縁に隣接して配置され、前記液晶表示パネルの画面の略中央部のみを照明する第３の発光ダイオード群とからなる液晶表示装置。
【請求項３】
前記液晶表示装置は、前記発光ダイオード群への電流を制御する電流制御部を備え、
前記電流制御部は、
一フレーム期間に前記発光ダイオード群を一定期間消灯させる制御を行い、前記第１と第２と第３の発光ダイオード群の点灯に位相差を設けることを特徴とする請求項１または２記載の液晶表示装置。
【請求項４】
前記液晶表示装置は、前記発光ダイオード群への電流を制御する電流制御部を備え、
前記電流制御部は、
少なくとも前記第１の発光ダイオード消灯後前記第２の発光ダイオード点灯前の期間に、前記第３の発光ダイオード群を点灯させる制御を行うことを特徴とする請求項１ないし3記載の液晶表示装置。
【請求項５】
前記導光板は、
前記第１の発光ダイオード群の光を導光する導光板上部と、
前記第２の発光ダイオード群の光を導光する導光板下部と、
前記第３の発光ダイオード群の光を導光する導光板中部と
からなることを特徴とする請求項１ないし４記載の液晶表示装置。       
【請求項６】
前記導光板は、
前記導光板の長手方向と略平行な境界により、
前記導光板上部と前記導光板中部と前記導光板下部とに分割されており、前記導光板中部と前記導光板上部および前記導光板下部が対峙する側面には隣接部へ光が相互に行き来するのを制限する処理が施されていることを特徴とする請求項５記載の液晶表示装置。
【請求項７】
前記導光板は、前記導光板の長手方向と略平行な溝により、前記導光板上部と前記導光板中部と前記導光板下部とに分割されていることを特徴とする請求項５記載の液晶表示装置。
【請求項８】
前記導光板は、前記導光板の長手方向の略平行な辺により、前記導光板上部と前記導光板中部と前記導光板下部とに分離されていることを特徴とする請求項５記載の液晶表示装置。
【請求項９】
前記導光板中部の面積が、前記導光板全体の面積に対して１／Ａ（Ａは２以上）であり、前記導光板の長手方向と短手方向の辺の長さの比がＢ対Ｃである場合に
前記第３の発光ダイオード群の消費電力が、
前記第１ないし第３の発光ダイオードの全消費電力に対してＣ／（Ｃ＋（Ａ×Ｂ））以上１／Ａ以下であること特徴とする請求項５ないし８記載の液晶表示装置。
【請求項１０】
導光板中部の面積が、前記導光板全体の面積に対して１／Ａ（Ａは２以上）であり、
前記導光板の長手方向と短手方向の長さの比がＢ対Ｃである場合に
前記第３の発光ダイオード群の両端間の長さが前記導光板の短手方向の長さに対して１／Ａ以上Ｂ／（Ａ×Ｃ）以下であること特徴とする請求項５ないし８記載の液晶表示装置。
【請求項１１】
液晶表示パネルと、
前記液晶表示パネルの背面に配置される導光板と、
前記導光板の長手方向の上部辺縁に隣接して配置される第１の発光ダイオード群と、
前記導光板の長手方向の下部辺縁に隣接して配置される第２の発光ダイオード群と、
前記導光板の短手方向の辺縁に隣接して配置される第３の発光ダイオード群からなる
液晶表示装置であって、
前記導光板は長手方向と略平行な境界により、導光板の上部長手方向の辺を含む導光板上部と下部長手方向の辺を含む導光板下部とその余からなる導光板中部に分割または分離され、
前記導光板中部の短手方法の長さと前記第３の発光ダイオード群の両端間の長さが、
略同じであることを特徴とする液晶表示装置。
【請求項１２】
映像信号を処理する信号処理部と、
前記発光ダイオード群への電流を制御する電流制御部を備えた前記液晶表示装置であって、
前記信号処理部は液晶表示パネルに書き込まれる画像の特徴を判別する映像判別部を有し、
前記映像判別部が画像の映像信号の特徴量が所定の閾値よりも大きいと判別した場合に、前記電流制御部は、前記第３の発光ダイオード群を駆動する決定をすることを特徴とする請求項１または４記載の液晶表示装置。
【請求項１３】
映像信号を処理する信号処理部と
前記発光ダイオード群への電流を制御する電流制御部を備えた前記液晶表示装置であって、
前記信号処理部は液晶表示パネルに書き込まれる領域ごとの画像の特徴を判別する映像判別部を有し、
前記映像判別部が一又は複数の特定の領域の画像の映像信号の特徴量が所定の閾値よりも大きいと判別した場合に、
前記電流制御部は、前記第３の発光ダイオード群を駆動する決定をすることを特徴とする請求項１または４記載の液晶表示装置。
【請求項１４】
前記画像の特徴量は書き込まれる画像の動き量であることを特徴とする請求項１２または１３記載の液晶表示装置。
【請求項１５】
前記画像の特徴量は書き込まれる画像の輝度であることを特徴とする請求項１２または１３記載の液晶表示装置。
【発明の詳細な説明】
【技術分野】
【０００１】
本発明は、動画表示性能を向上したエッジ型ＬＥＤバックライトを備えた液晶表示装置に関するものである。
【背景技術】
【０００２】
液晶表示装置のバックライトとして、冷陰極管ランプ（ＣＣＦＬ）と比較して消費電力などの点で優れた発光ダイオード（ＬＥＤ）を用いたものが多く開示されている。また、従来、バックライトとしてＬＥＤを用いた液晶表示装置の中でも、画面の背後にバックライトを配置した直下型に加えて、より薄型の液晶表示装置を実現するために画面の背後に設けた導光板と略同一平面上にバックライトを配置したエッジ型液晶表示装置についても多く開示されている。例えば、バックライトを表示画面の長手方向に配置したものとして特許文献１があり、短手方向に配置したものとして特許文献２がある。
【先行技術文献】
【特許文献】
【０００３】
【特許文献１】特開２００９−１９９９２６号公報
【特許文献２】特開２００１−９２３７０号公報
【発明の概要】
【発明が解決しようとする課題】
【０００４】
しかしながら、上述した表示装置においては、以下のような課題があった。すなわち、エッジ型バックライトを有する液晶表示装置において、速い動きのあるシーンを表示する際に発生する残像感を解消するために、光源を常灯とせず、映像書き込み信号のタイミングにより最適な位相でバックライトを明滅制御させるバックライトスキャンの採用が進んでいる。図６に示すような液晶表示パネルの長手方向に隣接してバックライトが配置されている液晶表示装置においては、一フレーム期間内で、上部に配置した発光ダイオード群を一定期間点灯した後消灯し、同様に下部に配置した発光ダイオード群も一定期間点灯した後消灯させ、上部と下部の発光ダイオード群の点灯に位相差を設けている。しかし、このようなバックライトスキャンにより駆動すると、バックライトの一部を消灯して黒表示させたい領域にも、点灯中の他のバックライトからの漏れ光が入りクロストークが発生する。上下部に光源を配置したエッジ型バックライトを有する液晶表示装置においては、上下部の光源の点灯の位相差が１８０度となるため、クロストークによる影響が大きい。特に動きの速い映像を表示する場合には、画面の中央部領域において映し出される画像の動画解像度が大きく劣化していた。
【０００５】
一方、図７に示すような液晶表示パネルの短手方向に隣接してバックライトが配置されている液晶表示装置においては、点灯の位相差が異なる発光ダイオード群を複数設けて駆動することで、光源の位相差を１８０度以下にすることが出来るため、クロストークの影響を小さくすることができる。しかし、パネルの短手方向の狭い幅にすべての発光ダイオード群を配置する必要があるため、十分な輝度を確保し難いと言う課題があった。また、十分な輝度を確保するために、短い幅に多くの発光ダイオード群を配置したり、個々の発光ダイオードの輝度を上げようとしたりすると、温度の上昇につながり、発光ダイオードの発光効率が劣化し、輝度の低下を引き起こすという課題もあった。
【０００６】
そこで、本発明では、エッジ型バックライトを有する液晶表示装置において、液晶表示パネルの長手方向の上下部に配置した発光ダイオード群に加えて、液晶表示パネルの短手方向の略中心部にも発光ダイオード群を配置することで、クロストークによる動画解像度の
劣化を抑制した表示装置及び表示装置の駆動方法を提供することを目的とするものである。
【課題を解決するための手段】
【０００７】
上述した課題を解決するために、本発明における液晶表示装置は、液晶表示パネルと、前記液晶表示パネルの背面に配置される導光板と、前記導光板の長手方向の上部辺縁に隣接して配置される第１の発光ダイオード群と、前記導光板の長手方向の下部辺縁に隣接して配置される第２の発光ダイオード群と、前記導光板の短手方向の辺の略中心部にのみ隣接して配置される第３の発光ダイオード群とからなる液晶表示装置である。
【発明の効果】
【０００８】
上述した構成により、本発明においては、エッジ型バックライトを有する液晶表示装置において、導光板の長手方向の上下部に第１および第２の発光ダイオード群を配置するだけでなく、導光板の短手方向の略中心部に第３の発光ダイオード群を配置することで、バックライトの点灯の位相差を小さくできるため、クロストークによる動画解像度の劣化を抑制することができる。また、導光板の短手方向に配置した発光ダイオード群を液晶表示パネルの略中心部に限定することで、温度上昇による輝度低下を防止し、さらに経済性を実現している。
【図面の簡単な説明】
【０００９】
【図１】本発明の実施の形態１における液晶表示装置の構成を示す（ａ）前面図と（ｂ）側面図
【図２】本発明の実施の形態１における液晶表示装置の構成を示すブロック図
【図３】本発明の実施の形態１における映像信号の画素アレイへの書き込みと発光ダイオード群の駆動波形のタイミング図
【図４】本発明の実施の形態２における液晶表示装置のバックライト部分の構成を示す前面図
【図５】本発明の実施の形態３における液晶表示装置の構成を示すブロック図
【図６】従来の液晶表示装置の構成を示す構成図
【図７】従来の液晶表示装置の構成を示す構成図
【００１０】
（実施の形態１）
本発明について、図１から図３を参照しながら、説明する。なお、本実施の形態において説明した液晶表示装置及び液晶表示装置の駆動方法はその一例であって、本発明はこれに限定されるものではない。
【００１１】
最初に、図１の本発明の表示装置の（ａ）前面図と（ｂ）側面図を参照しながら、本発明の表示装置の各構成について詳細に説明する。
【００１２】
本発明の液晶表示装置は、入力映像を表示する液晶表示パネル３と、その液晶表示パネル３の背面に設置された導光板２、導光板２に隣接して、その長手方向の上部に隣接して配置された第１の発光ダイオード群１ａと、同長手方向の下部に隣接して配置された第２の発光ダイオード群１ｂと、同短手方向の辺の略中心部にのみ隣接して配置された第３の発光ダイオード群１ｃにより構成されている。なお、第１ないし３の発光ダイオード群１について、特に区別する必要がない場合には、単に発光ダイオード群１と言う。また、上部下部との区別は、液晶表示パネル３への画像の書き込みが始まる画素アレイが有する側を上部とし、書き込みが終わる終端側を下部とし、導光板２の上下部についても液晶表示パネル３に対応する。
【００１３】
発光ダイオード群１からの光は、導光板２により導光されて、面発光に変換され、液晶表
示パネル３の画面５を照射する。すなわち、第１の発光ダイオード群１ａは、液晶表示パネル３の画面５の略上部を照明し、第２の発光ダイオード群１ｃは、液晶表示パネル３の画面５の略下部を照明し、第３の発光ダイオード群１ｂは、液晶表示パネル３の画面５の略中央部のみを照明している。
【００１４】
このように液晶表示パネル３の画面５は、略上部と略下部の他に略中央部に概念的に区切られているが、物理的に分離しているものではない。また液晶表示パネル３の画面５の略上部、略下部、略中央部は相互に重複部分を有している場合も含んでいる。
【００１５】
次に、以上のような構成における表示装置の具体的な駆動方法について、図２と図３を参照しながら説明する。ここで、図２は、本発明の実施の形態における液晶表示装置の構成を示すブロック図である。
【００１６】
本実施の形態に係る液晶表示装置は、図２に示すように、信号処理部６と、信号出力部７と、液晶表示パネル３とが設けられており、さらに、デューティ／位相制御部８と光源駆動部９と電流制御部１０とエッジ光源１１とがそれぞれ上部、中部、下部に設けられている。
【００１７】
信号処理部６は、入力された映像信号、および、同期信号を、スケーリングや必要な信号処理を行うことによって、パネル垂直同期信号と書き込み映像信号を生成する。そして、信号処理部は、これらの信号をデジタル信号として、信号出力部に出力する。信号出力部は、信号処理部６から入力されるデジタル信号を、例えば、ＬＶＤＳ（Low Voltage Differential Signal）に変換し、その信号を液晶表示パネル３に出力する。信号処理部６は、この信号出力部を経由して、パネル垂直同期信号と書き込み映像信号を液晶表示パネル３へ出力する。液晶表示パネル３は、パネル垂直同期信号と書き込み映像信号を、信号出力部から受ける。液晶表示パネル３は、それらの信号に基づいて映像が書き込まれる。
【００１８】
また、信号処理部６は、上部・中部・下部の発光ダイオード１を制御する信号を生成し、その信号をそれぞれ上部・中部・下部のデューティ／位相制御部８にそれぞれに出力する。この制御信号は、パネル垂直同期信号と同期されており、パネル垂直同期信号と同じ周期を有する。
【００１９】
デューティ／位相制御部８は、信号処理部で生成される信号を任意のデューティおよび位相信号にして光源駆動部９に出力するとともに、輝度信号を電流制御部１０に出力する。光源駆動部９は、デューティ／位相制御部８からのデューティおよび位相信号と電流制御部１０からの電流制御信号に基づいて、光源駆動波形を生成し、エッジ光源１１を駆動する。
【００２０】
図３は、本発明の実施の形態１における映像信号の画素アレイへの書き込みと発光ダイオード群の駆動波形のタイミング図である。書き込み映像信号による画素アレイへの映像の書き込みは、一フレーム期間に液晶表示パネル３の画面５の上部から中部、下部に順次行われる。一方、電流制御部１０は、デューティ／位相制御部８からの信号に基づき、液晶表示パネル３の画面５に対する映像の書き込みタイミングと関連させて、発光ダイオード群１を点灯消灯する制御し、一フレーム期間に前記発光ダイオード群１を一定期間消灯させる制御を行い、第１と第２と第３の発光ダイオード群１の点灯にそれぞれ位相差を設ける。かかる制御により、バックライトスキャンを行い、バックライトの点灯に位相差を小さくすることで、動画解像度の劣化を抑制している。
【００２１】
本実施の形態では、書き込み映像信号により液晶表示パネル３の画面５の略上部の書込み画素アレイへの映像の書き込みが行われている期間に、第１の発光ダイオード群１ａを消
灯し、第２および第３の発光ダイオード群１を点灯する。同様に、書き込み映像信号により液晶表示パネル３の画面５の略中部の書込み画素アレイへの映像の書き込みが行われている期間に、第３の発光ダイオード群１ｃを消灯し、第１および第２の発光ダイオード群１を点灯する。また、書き込み映像信号により液晶表示パネル３の画面の略下部の書込み画素アレイへの映像の書き込みが行われている期間に、第２の発光ダイオード群１ｂを消灯し、第１および第３の発光ダイオード群１を点灯する。その結果、少なくとも前記第１の発光ダイオード消灯後前記第２の発光ダイオード点灯前の期間に、前記第３の発光ダイオード群を点灯している。このように、液晶表示パネル３の画面５に画像が書き込まれている期間に、その部分に近接するバックライトを消灯させ、画像の書き込みが完了した後に、近接するバックライトを点灯させる。これにより、動画の動きボケを低減させることができる。
【００２２】
（実施の形態２）
本実施の形態に係る液晶表示装置を、図４を用いて説明する。なお、以下で新たに説明しない構成については、実施の形態１と同じであるものとする。
【００２３】
図４は、本発明の実施の形態２における液晶表示装置のバックライト部分の構成の前面図を示す。液晶表示パネル３の画面の全面８を照射するために、導光板２と導光板２の長手方向の上下部に隣接して配置される第１および第２の発光ダイオード群１と、導光板２の短手方向の左右辺の略中心部に配置された第３の発光ダイオード群１ｃから構成されている。導光板２は長手辺と短手辺の長さ比がＢ対Ｃとなっている。また、導光板２は図４（ａ）では２本、図４（ｂ）では３本の長手辺と略平行な溝が施されている。
【００２４】
かかる溝により、導光板２は導光板上部と導光板中部と導光板下部に分割され、導光板２のそれぞれに照射された光は相互に行き来が制限されている。従って、第１の発光ダイオード群１ａからの光は導光板上部で導光され液晶表示パネル３の略上部を照明し、第２の発光ダイオード群１ｂからの光は導光板下部で導光され液晶表示パネル３の略下部を照明し、第３の発光ダイオード群１ｃからの光は導光板中部で導光され液晶表示パネル３の略中部を照明する。図４（ｂ）に示すように、溝が３本施されており、導光板２が４分割されている場合であっても、第３の発光ダイオード１ｃからの光を導光する導光板２（５）（６）を併せて導光板中部とする。なお、本実施の形態である、図４（ｂ）では、第３の発光ダイオードを２分割し、それぞれの点灯に位相差を設けることで、各発光ダイオード群の点灯の位相差を更に小さくすることができるので、さらに動画解像度の劣化を抑制することができる。なお、本実施の態様では、導光板中部を分割していない場合と２分割している場合を記載しているが、これに限定されるものではなく、分割数をさらに多くすることでより一層動画解像度を改善することができる。
【００２５】
本実施の態様では、導光板２に溝４を施すことにより導光板上部と導光板下部と導光板中部に区切っているが、溝４が施されていない場合でも、例えば導光板２中にドットパターンを施すことにより、第１ないし３の発光ダイオード群１からの発光がそれぞれの導光板２により導光され、液晶表示パネル３の画面５の上部と下部と中部を照射する場合には、本発明の効果を有する。また、溝以外であっても、導光板２間の対峙する側面に施された隣接部へ光が相互に行き来するのを制限するあらゆる処理により導光板２が上記と同様に分割されている場合には、本発明の効果を有する。さらに、上記では、導光板２が一体となっている場合を例示したが、完全に分離されることで、隣接部へ光が相互に行き来するのが制限されている場合であっても、本発明の効果を有する。
【００２６】
また、本実施の態様では、導光板中部（図４（ａ）では導光板（２）、図４（ｂ）では導光板（５）（６）の一体形）の短手方向の辺の長さが、第３の発光ダイオード群１ｃの両端間の長さと略同じな構成となっているが、これに限られるものではない。ただし、導光
板中部の面積が、導光板全体の面積に対して１／Ａ（Ａは２以上）である場合には、第３の発光ダイオード群１ｃの両端間の長さは、導光板中部の短手方向の辺の長さに対して、１／Ａ以上Ｂ／（Ａ×Ｃ）以下であることが望ましい。導光板中部は導光板全体の長手方向と略平行な境界により分割または分離されているので、導光板全体に対する導光板中部の面積比は、導光板全体の短手方向の辺に対する導光板中部の短手方向の辺の長さ比が略同じになる。第３の発光ダイオード群１ｃの両端間の長さは、少なくとも導光板中部の短手方向の辺の長さだけ必要になるので、最小限である１／Ａが規定される。一方、第３の発光ダイオード群１ｃの発光だけで液晶表示パネル３の画面５の略中央部を照明できれば十分であるため、最大限であるＢ／（Ａ×Ｃ）（=１／Ａ×Ｂ／Ｃ（液晶表示パネル３の横縦比はＢ対Ｃ））が規定される。
【００２７】
例えば、図４（ａ）では、導光板上部（１）と導光板中部（２）と導光板下部（３）の面積は略同じであるため、導光板中部（２）の面積は、導光板全体の面積に対して３分の１である。つまり、上記のＡが３となる。現在のテレビの横縦比は概ね１６対９であるため、第３の発光ダイオード群１ｃの両端間の長さは、導光板全体の短手方向の辺の長さに対して１／３以上１６／２７以下であることが望ましい。
【００２８】
次に、消費電力の観点から考える。上記と同様に、導光板中部の面積が、導光板全体の面積に対して１／Ａ（Ａは２以上）である場合には、第３の発光ダイオード群１ｃの消費電力は、第１ないし３の発光ダイオード全体の消費電力に対してＣ／（Ｃ＋（Ａ×Ｂ））以上１／Ａ以下であることが望ましい。第３の発光ダイオード群１ｃの両端間の長さは、少なくとも導光板中部の短手方向の辺の長さだけ必要になるので、最小限であるＣ／（Ｃ＋（Ａ×Ｂ））（=（Ｃ／Ａ）／（（Ｃ／Ａ）＋Ｂ）（液晶表示パネル３の横縦比はＢ対Ｃ））が規定される。一方、第３の発光ダイオード群１ｃの発光単独で液晶表示パネル３の画面５の略中央部を照明できれば十分であるため、最大限は面積比である１／Ａが規定される。
【００２９】
例えば、図４（ｂ）では、導光板（４）〜（７）の面積はそれぞれ略同じで、導光板中部（導光板（５）（６）の一体形）の面積は、導光板全体の面積に対して２分の１である。つまり、上記Ａは２となる。現在の液晶パネルの多くの横縦比は１６対９であるため、第３の発光ダイオード１ｃの消費電力は、発光ダイオード１全体の消費電力に対して９／４１以上１／２以下であることが望ましい。
【００３０】
（実施の形態３）
本実施の形態に係る液晶表示装置を、図５を用いて説明する。なお、以下で新たに説明しない構成については、上述の実施の形態と同じであるものとする。
【００３１】
図５は、液晶表示装置の構成を示すブロック図を示す。図５の構成は、実施の形態１で示した図２と大部分が同じであるが、信号処理部６に映像判別部１２の構成が追加されている。かかる映像判別部１２は、映像の特徴を判別し、前記映像判別部１２が画像の映像信号の特徴量が所定の閾値よりも大きいと判別した場合に、電流制御部１０は、第３の発光ダイオード１ｃを駆動する決定をする制御を行う。
【００３２】
映像判別部１２で判別される画像の特徴量としては、画像の動き量（複数フレームの入力映像信号の差分をいう。）や３Ｄ画像を表示するための画像の視差量などが考えられるがこれに限定されるものではない。以下、映像判別部１２で判別される画像の特徴量が画像の動き量である場合について説明する。
【００３３】
一般に、クロストークによる動画解像度の劣化は、映し出される画像の動きが激しい（画像の動き量が大きい）程目立ちやすく、画像が静止画に近い（画像の動き量が小さい）場
合ほど、人の目には目立たなくなる。そこで、映像判別部１２が判別する画像の映像信号の特徴量を画像の動き量としておき、判別された画像の動き量が予め設定した所定の閾値よりも大きいと判別した場合に、電流制御部１０は第３の発光ダイオード１ｃを駆動する決定をする。かかる制御により、クロストークによる動画解像度の劣化を抑制できる。一方、画像の動き量が予め設定した所定の閾値未満の場合、つまり静止画に近い場合には、第３の発光ダイオード１ｃを駆動させず、第１および第２の発光ダイオード群１のみを駆動させる制御を行う。かかる制御により、第３の発光ダイオード群１ｃの負担を軽減することができる。
【００３４】
ここで、映像判別部１２による画像の動き量の判別方法について以下例示する。映像判別部１２は、入力された入力映像を１フレーム分記録するフレームメモリと、フレームメモリから出力された映像と、現在入力された入力映像との動きベクトルの差分を領域ごとに計算する差分計算手段と、差分計算手段により計算された動きベクトルの差分を１フレーム分合計する合計手段を有する。この合計手段により合計された動きベクトルの値が大きい程、動画の動きが激しく（動き量が大きい）、動きベクトルの値が小さい程、静止画に近い（動き量が小さい）画像と言うことになる。
【００３５】
なお、動き量の判別方法はこれに限定されるものではなく、画像の周波数により判別する方法、濃度ヒストグラム、周波数ヒストグラム等の構成を採用することも可能である。
【００３６】
上記の制御手段においては、一フレーム内に表示される画像全体の動き量に応じた制御方法であるが、それ以外の制御方法について説明する。
【００３７】
液晶表示パネル３の画面５を概念的に複数の領域に分割し、映像判別部１２により一または複数の特定の領域の画像の特徴量を判別し、映像判別部１２が一又は複数の特定の領域の画像の映像信号の特徴量が所定の閾値よりも大きいと判定した場合に、電流制御部１０は、第３の発光ダイオード群１ｃを駆動する決定をする。
【００３８】
一般に、クロストークによる動画解像度の劣化は、動きが激しい画像が画面５の中央部に映し出される程目立ちやすく、動きが激しい画像であっても中心部から離れる程目立ちにくくなる。そこで、画面５の中央部を特定の領域として、かかる領域の画像の特徴量である動き量を映像判別部が判別するように設定しておく。そうすれば、映像判別部１２は、画面５の中央部に映し出される画像の動き量を判別し、予め設定した閾値を超える場合は、第３の発光ダイオード１ｃを駆動する決定をする。かかる制御により、クロストークによる動画解像度の劣化を抑制できる。一方、画像の動き量が予め設定した所定の閾値未満の場合、つまり静止画に近い場合には、第３の発光ダイオード１ｃを駆動させず、第１および第２の発光ダイオード群１のみを駆動させる制御を行う。かかる制御を行うことにより、動画ボケが目立つ映像の場合に限定して、第３の発光ダイオード１ｃを駆動させることで、負担を軽減することができる。
【産業上の利用可能性】
【００３９】
本発明では、エッジ型バックライトを備えた液晶表示装置において、液晶表示パネル３の背面に配置される導光板２の短手方向の辺の略中心部にのみ隣接して配置される第３の発光ダイオード群１ｃを設けることにより、クロストークによる動画解像度の劣化を抑制した表示装置及び表示装置の駆動方法に有用である。
【符号の説明】
【００４０】
１  発光ダイオード
１a   第１の発光ダイオード
１ｂ  第２の発光ダイオード
１ｃ  第３の発光ダイオード
２  導光板
３  液晶表示パネル
４  溝
５  画面
６  信号処理部
７  信号出力部
８  デューティ／位相制御部
９  光源駆動部
１０  電流制御部
１１  エッジ光源
１２  映像判別部
【図１】
2011222375.tif 000003
【図２】
2011222375.tif 000004
【図３】
2011222375.tif 000005
【図４】
2011222375.tif 000006
【図５】
2011222375.tif 000007
【図６】
2011222375.tif 000008
【図７】
2011222375.tif 000009